(57)【特許請求の範囲】
【請求項１】
ルーバを構成する各羽根板に連けいして該羽根板を開閉する連動杆に部片を連けいした移動片の本体材を、ルーバ枠に取り付けた装置基枠に外部から移動操作可能に収設し、該本体材に受止部を該本体材の移動方向に沿わせて形成し、該受止部に部分的に係止する係止部を設けた規制片を、前記装置基枠に前記受止部に対して外部から係止操作可能に収設した、ルーバの羽根板開閉装置。
【発明の詳細な説明】
【０００１】
【産業上の利用分野】
本発明は、ルーバの羽根板開閉装置に関するもので、各羽根板に連けいした連動杆を動作させて各羽根板を同時に動作させて行うルーバの羽根板開閉装置に関するものである。
【０００２】
【従来の技術】
各羽根板に連けいした連動杆を動作させて各羽根板を同時に動かして開閉するようにしたルーバは、例えば、特公昭５６−３６２７３号公報所載の具体例で示すまでもなく公知である。
【０００３】
【発明が解決しようとする課題】
前記従来例は、連動杆とルーバ枠との接触摩擦により羽根板の開放状態を維持するようになっているため、開放状態（角度）の維持に安定性を欠き、不測の事故を起こすおそれがある。
【０００４】
本発明は、羽根板の開閉角度を調節でき、かつ、当該角度状態を確実に維持できる装置を提供することを目的として創案したものである。
【０００５】
【課題を解決するための手段】
ルーバを構成する各羽根板に連けいして該羽根板を開閉する連動杆に部片を連けいした移動片の本体材を、ルーバ枠に取り付けた装置基枠に外部から移動操作可能に収設し、該本体材に受止部を該本体材の移動方向に沿わせて形成し、該受止部に部分的に係止する係止部を設けた規制片を、前記装置基枠に前記受止部に対して外部から係止操作可能に収設した構成とする。
【０００６】
【実施例】
図面は本発明に係るルーバの羽根板開閉装置の一実施例を示し、図１は要部の正面図、図２は図１の一部欠截拡大図、図３は図１のＸ−Ｘ線拡大断面図、図４は図１のＹ−Ｙ線拡大断面図である。
【０００７】
実施例のルーバＡは、縦方向に並設した多数の羽根板１，…をルーバ枠Ａ´の縦枠Ａ´ａ，Ａ´ａに支軸２によって回動自在に軸支し、該支軸２に突設した腕部片３に連けいピン４を前記支軸２の軸線に沿わせて突設し、この連けいピン４を連動杆５に形成した透孔６に遊嵌し、連動杆５を縦動させることによって前記腕部片３を回動させ、該回動に伴って各羽根板１，…を支軸２を中心に回動させ、羽根板１，…（ルーバＡ）の開閉を行うようにしたものである。
【０００８】
そして、各羽根板１，…中のほぼ中央に位置する羽根板１の連けいピン４を前記縦枠Ａ´ａの内に挿入した移動片７の部片８に設けた横長長孔９に係合し、移動片７を縦動させることによって部片８に係合した連けいピン４を介して連動杆５を強制的に縦動させ、羽根板１の前記開閉が行われる。
【０００９】
前記移動片７は、本体材１０の裏面側に前記部片８を、側面側に摘み部片１１をそれぞれ突設し、前記本体材１０の前記摘み部片１１側の一側を、該一側に対応する他の一側側より板厚を厚くして該厚肉部１０ａに本体材１０（連動杆５）の移動方向に沿わせて受止部１２を設けて構成し、前記ルーバ枠Ａ´（縦枠Ａ´ａ）に螺子１３で止着した装置基枠１４の裏（後）面側開口の凹入部１５に係合するようにして、かつ、装置基枠１４の一側に上下方向にして並設した一対の支持部片２０，２０と前記縦枠Ａ´ａの間に前記肉厚部１０ａに対応する薄肉部１０ｂが介在するようにして、本体材１０を前記装置基枠１４に収設し、前記部片８を縦枠Ａ´ａに設けた縦長長孔１６を通じて前記の通り縦枠Ａ´の内に挿入し、また、摘み部片１１を前記装置基枠１４の側板に設けた縦長の切欠１７を通じて外部に突出させ、装置基枠１４と縦枠Ａ´ａ（ルーバ枠Ａ´）に組付けたものである。
【００１０】
前記受止部１２は、凸部１２ａと凹部１２ｂを規則的に交互に配して構成したもので、この受止部１２に部分的に係合する係止部１８を、前記受止部１２に相対して設けた規制片１９を、前記本体材１０の前記厚肉部１０ａに対応する薄肉部１０ｂに重ね合せ、かつ、前記支持部片２０に支持させるようにして前記装置基枠１４に収設してある。
【００１１】
規制片１９は、主体部片２１の前面側に操作部片２２を、一側面側に前記係止部１８を設けると共に、上下両側に弾性係止部片２３，２３を設けて構成し、前記の通り、主体部片２１を前記支持部片２０，２０間に配して装置基枠１４内に収設し、操作部片２２を該装置基枠１４の前面板を開口して設けた導出口２４を通じて、前記摘み部片１１と同様に外部に突出させるようにして装置基枠１４に組付けたものである。
【００１２】
また、規制片１９は、弾性係止部片２３の自由端側先端部外面に設けた突子２３ａが、前記支持部片２０，２０のそれぞれの内面に設けた第一、第二の凹入縁２５Ａ，２５Ｂを係脱し、突子２３ａが第一凹入縁２５Ａに、前記係止部片２３の弾性を利用して係止しているときは、前記係止部１８が前記受止部１２から離開し（このとき、操作部片２２は導出口２４の一側側に位置する）、突子２３ａが第二凹入縁２５Ｂに係止部片２３の弾性を利用して係止しているときは、係止部１８受止部１２のいずれかの部分に部分的に係合して受止部１２すなわち移動片７の移動（実施例では縦動）を規制する。
【００１３】
規制片１９に備えた前記係止部１８は、移動片７側の受止部１２の部分と同形の凸部１８ａと凹部１８ｂを規則的に交互に配して構成したもので、該係止部１８が受止部１２に係合して（係止して）、該係合関係が例えば、密嵌といえるほどに容易に解放されない構成のものであれば、前記の突子２３ａと第一、第二の凹入縁２５Ａ，２５Ｂの係合関係は必ずしも必要としない。
【００１４】
しかして、摘み部片１１を摘んで装置基枠１４外部から移動片７を移動（縦動）させるようにすると、移動片７の本体材１０は装置基枠１４の凹入部１５内を自在に移動する。
【００１５】
この本体材１０（移動片７）には部片８連けいピン４を介して連動杆５と連けいしてあるので、連動杆５は本体材１０（移動片７）の移動に伴って移動し、連動杆５に腕部片３および支軸２を介して羽根板１を組付けてあるので、羽根板１を支軸２を中心にして回動し、連動杆５の移動方向に従って、開放方向へ、或いは、閉塞方向へと変位し、ルーバＡを開閉する。
【００１６】
そして、前記摘み部片１１の操作を、羽根板１の開閉状態を目視しながら行い、全開放、半開放或いは閉塞状態と所望の状態になったとき、操作部片２２によって装置基枠１４（乃至ルーバ枠Ａ´）の外部から規制片１９を本体材１０の受止部１２方向に押圧すると、突子２３ａは第一凹入縁２５Ａから離脱し、第二凹入縁２５Ｂ方向に移動し、規制片１９の係止部１８が前記受止部１２に部分的に係合し、同時に、突子２３ａは第二凹入縁２５Ｂに係合し、この結果、前記本体材１０すなわち移動片７は施錠され、摘み部片１１による移動操作は規制され、当該選択した羽根板１の全開放状態又は半開放状態又は閉塞状態が維持される。
【００１７】
なお、凸部１２ａと凹部１２ｂで構成する受止部１２の長さは、羽根板１の回動角度を全開放状態から閉塞状態にできる長さにしてあることは勿論で、受止部１２の移動に対して相対的に定置の関係にある係止部１８は、受止部１２に段階的に（羽根板１の全開放状態乃至閉塞状態間に）係合して、受止部１２すなわち移動片７の移動を規制することになる。
【００１８】
【発明の効果】
本発明は前記の通りの構成であるから、羽根板の開放状態を自由に選び、選んだ羽根板の開放角度を確実に維持した装置を提供できる。
【図面の簡単な説明】
【図１】要部の正面図。
【図２】図１の一部欠截拡大図。
【図３】図１のＸ−Ｘ線拡大断面図。
【図４】図１のＹ−Ｙ線拡大断面図。
【符号の説明】
Ａ      ルーバ
Ａ´    ルーバ枠
１      羽根板
５      連動杆
７      移動片
８      部片
１０    本体材
１２    受止部
１４    装置基枠
１８    係止部
１９    規制片
【図１】
0004410373.tif 000002
【図２】
0004410373.tif 000003
【図３】
0004410373.tif 000004
【図４】
0004410373.tif 000005